(57)【要約】モバイル端末用バックカバーは、背面にバッテリーを有するモバイル端末の背面を保護する。バックカバーは、モバイル端末の背面に取り付けられたカバー本体と、カバー本体の縁部に形成され、且つ、モバイル端末の背面にロックされる複数のフックと、カバー本体の第１面上で、モバイル端末の端子と対応する位置に設けられた端子部と、カバー本体の第２面上に設けられ、端子部に電気的に接続し、且つ、モバイル端末の端子を外部充電器に電気的に接続する電極を有するパターン電極部と、カバー本体に位置し、外部充電器と磁気的に結合するマグネットと、を含む。【選択図】図３
2015534741.tif 000002
【特許請求の範囲】
【請求項１】
モバイル端末によって提供される端子を用いて前記モバイル端末を充電するように前記モバイル端末の背面に取り付けられたモバイル端末用バックカバー(back  cover)であって、
前記モバイル端末の前記背面に取り付けられたカバー本体と、
前記カバー本体の縁部に形成され、且つ、前記モバイル端末の前記背面にロックされる複数のフックと、
前記カバー本体の第１面上で、前記モバイル端末の前記端子と対応する位置に設けられた端子部と、
前記カバー本体の第２面上に設けられ、前記端子部と電気的に接続するパターン電極部であって、前記モバイル端末の前記端子を外部充電器に電気的に接続する電極を有するパターン電極部と、
前記カバー本体に設置され、前記外部充電器と磁気的に結合するマグネットと、
を備える、
モバイル端末用バックカバー。
【請求項２】
前記パターン電極部は、同心円状の複数の電極を備える、請求項１に記載のモバイル端末用バックカバー。
【請求項３】
前記パターン電極部は、前記端子部に隣接した前記カバー本体の所定の部分に形成された貫通孔に配置され、且つ、前記カバー本体の前記第２面で露出される、請求項１に記載のモバイル端末用バックカバー。
【請求項４】
前記貫通孔の周りに形成された係止段と、
前記係止段によって支持され、且つ、前記パターン電極が前記カバー本体の前記第２面の外部へ突出することを妨げるように前記パターン電極を支持する支持部と、
をさらに備える、
請求項３に記載のモバイル端末用バックカバー。
【請求項５】
前記マグネットは前記支持部の中央に位置する、請求項４に記載のモバイル端末用バックカバー。
【請求項６】
前記カバー本体の前記第１面には、前記マグネットと前記支持体との両方が外部へ露出することを妨げるように、前記マグネットと前記支持体との両方を保護するための保護部が備えられている、請求項４に記載のモバイル端末用ブックカバー。
【請求項７】
前記パターン電極部は、電源電極と接地電極とを含む、請求項１に記載のモバイル端末用ブックカバー。
【請求項８】
前記パターン電極部は、第１データ電極、第２データ電極およびＩＤ電極の少なくとも１つを含む、請求項７に記載のモバイル端末用バックカバー。
【請求項９】
前記パターン電極部は、前記外部充電器のピン端子部に対応する、請求項１に記載のモバイル端末用バックカバー。
【請求項１０】
前記カバー本体の四隅であって、前記パターン電極部から同じ距離だけ離隔した位置に配置された複数の補助マグネットをさらに備える、請求項１に記載のモバイル端末用バックカバー。
【発明の詳細な説明】
【技術分野】
【０００１】
本発明は、一般的に、モバイル端末用バックカバー(back  cover)に関し、より詳しくは、モバイル端末の背面にバッテリーを有するモバイル端末の背面を覆い、保護するモバイル端末用バックカバーに関する。
【背景技術】
【０００２】
モバイル端末、例えば、セルラーフォンやスマートフォン、ＰＤＡ(Personal  Digital  Assistant)などは、移動性（mobility）が良く、携帯性（portability）が良いため、一般的に使用されている。さらに、モバイル端末のバッテリーを充電するために使用される様々な有線充電器が製造され、バッテリーの形状及びサイズにしたがって、充電器も異なる形状及びサイズを持っている。さらに、消費者のニーズに応えるようなモバイル端末の機能向上および軽量化の最近の傾向により、同じ製造業者によっても、様々なモバイル端末と様々な特定の充電器が製造されている。
【０００３】
モバイル端末の電力は、アダプタなどの電源供給器を用いて直流電力（DC  power）をモバイル端末に充電することによって、又は、モバイル端末に装着されたバッテリーを充電することによって、つくりだされる。ここで、アダプタは、入力された商用交流電力（AC  power）を、予め設定された（preset）直流電圧に変換することができる装置である。
【０００４】
モバイル端末に直流電力を充電するためには、モバイル端末のメスコネクタをアダプタのオスコネクタに接続しなければならない。
【０００５】
しかし、オスコネクタをメスコネクタに差し込んで接続することは、接続の過程で両方のコネクタに損傷を発生させたりすることや、ユーザが、モバイル端末のメスコネクタを探した後にメスコネクタに対してオスコネクタを垂直に差し込んだりする必要があったり、ユーザが、メスコネクタからオスコネクタを抜き取る必要があったりという欠点を生じさせたりすることがある。
【０００６】
さらに、従来のモバイル端末のバックカバーは、背面に配置された素子（element）が外部に露出されることを妨げるようにモバイル端末の背面を覆う機能のみを果たしている。
【発明の概要】
【発明が解決しようとする課題】
【０００７】
したがって、本発明は上述した従来技術で生じる問題点に鑑みてなされたもので、本発明は、オスコネクタとメスコネクタとを用いてモバイル端末と外部充電器とを接続することなく、マグネットを用いてモバイル端末を外部充電器に接続することにより、モバイル端末の充電を実現することができる、モバイル端末用バックカバーを提案する。
【０００８】
さらに、本発明は、別個のクレードルを使用することなく、モバイル端末自体を用いて、モバイル端末の充電を実現することができる、モバイル端末用バックカバーを提案する。
【０００９】
本発明の目的は、上述した目的に限定されるものではない。
【課題を解決するための手段】
【００１０】
上記目的を達成するために、本発明のある観点によれば、モバイル端末によって提供される端子を用いてモバイル端末を充電するようにモバイル端末の背面に取り付けられたモバイル端末用バックカバー(back  cover)が提供され、バックカバーは、モバイル端末の背面に取り付けられたカバー本体と、カバー本体の縁部に形成され、且つ、モバイル端末の背面にロックされる複数のフックと、カバー本体の第１面上で、モバイル端末の端子と対応する位置に設けられた端子部と、カバー本体の第２面上に設けられ、端子部と電気的に接続し、且つ、モバイル端末の端子を外部充電器に電気的に接続する電極を有するパターン電極部と、カバー本体に設置され、外部充電器と磁気的に結合するマグネットと、を含む。
【００１１】
実施形態においては、パターン電極部は、同心円状の複数の電極を含むことができる。
【００１２】
さらに、パターン電極部は、端子部に隣接したカバー本体の所定の部分に形成された貫通孔に配置され、且つ、カバー本体の第２面で露出されることができる。
【００１３】
バックカバーは、貫通孔の周りに形成された係止段（step）と、係止段によって支持され、且つ、パターン電極がカバー本体の第２面の外部へ突出することを妨げるように
【００１４】
さらに、マグネットは支持部の中央に位置することができる。
【００１５】
さらに、カバー本体の第１面には、マグネットと支持体との両方が外部へ露出することを妨げるように、マグネットと支持体との両方を保護するための保護部が備えられることができる。
【００１６】
さらに、パターン電極部は、電源電極と接地電極とを含むことができる。
【００１７】
さらに、パターン電極部は、第１データ電極、第２データ電極およびＩＤ電極の少なくとも１つを含むことができる。
【００１８】
さらに、パターン電極部は、外部充電器のピン端子部に対応することができる。
【００１９】
バックカバーは、カバー本体の四隅であって、パターン電極部から同じ距離だけ離隔した位置に配置された複数の補助マグネットをさらに含むことができる。
【発明の効果】
【００２０】
上述したように、本発明は、コネクタを用いることなく、マグネットを用いてモバイル端末を外部充電器に接続することによりモバイル端末を容易に充電することができるモバイル端末用バックカバーという点で効果的である。
【００２１】
モバイル端末を充電する際に、バックカバーによりコネクタを使用せず、バックカバーにより、頻繁なコネクタの接続により起こされるコネクタの損傷を完全に避けることができるという、本発明の他の効果が提供される。
【００２２】
モバイル端末に取り付けられたバックカバーは、マグネットを含み、付加的な素子（additional  element）を用いることなく、モバイル端末をマグネット型ハンズフリーホルダー（magnet-type  handsfree  holder）または金属表面に容易に装着することができるという、本発明のさらなる効果が提供される。
【図面の簡単な説明】
【００２３】
【図１】本発明の実施形態に係るモバイル端末用バックカバーの前面を示す図である。
【図２】本発明の実施形態に係るモバイル端末用バックカバーの背面を示す図である。
【図３】本発明の実施形態に係るモバイル端末用バックカバーの前面に設けられた部分を示す分離斜視図である。
【図４】一般的なモバイル端末の背面の形態を示す図である。
【図５】改良された（upgraded）モバイル端末の背面の形態を示す図である。
【図６】本発明の第１実施形態に係る一般的なモバイル端末用バックカバーの外部充電器のピン端子部に対する結合を示す図である。
【図７】本発明の第２実施形態に係る改良されたモバイル端末用バックカバーの外部充電器のピン端子部に対する結合を示す図である。
【発明を実施するための形態】
【００２４】
本発明の前記および他の目的、特徴および利点は、添付図面を参照する以下の説明からさらに明確に理解されるであろう。
【００２５】
以下に、添付図面を参照しながら、本発明の好適な実施形態を詳細に説明する。可能な限り、図面及び説明中の同様の要素は同一の符号で表示する。下記の説明においては、従来要素の機能、及び、本発明に関する要素の詳細な説明が、本発明の要旨を不明確にするおそれのある場合には、これらの要素の詳細な説明を省略することに、留意されたい。
【００２６】
図１は本発明の実施形態に係るモバイル端末用バックカバーの前面を示す図である。図２は本発明の実施形態に係るモバイル端末用バックカバーの背面を示す図である。図３は本発明の実施形態に係るモバイル端末用バックカバーの前面に設けられた部分を示す分離斜視図である。図に示すように、本発明に係るモバイル端末用バックカバー１００は、カバー本体１１０、フック１２０、端子部１３０、パターン電極部１４０、およびマグネット１６０を含む。
【００２７】
ここで、カバー本体１１０は、モバイル端末１０の背面に取り付けられることができるように構成され、カバー本体１１０が、図４および図５に示すようにモバイル端末１０の背面に取り付けられたバッテリー１３を覆い、且つ、保護することができる。
【００２８】
本発明においては、カバー本体１１０には、モバイル端末１０の背面の付加的機能部１６としてのカメラ、スピーカーおよびフラッシュなどが外部に露出することを可能にするように、ホール１１１が設けられることができる。
【００２９】
ここで、複数のフック１２０は、カバー本体１１０の縁部に形成され、図４および図５に示すモバイル端末１０の背面の縁部に形成された係合溝（locking  slot）１１とロック（lock）される。したがって、カバー本体１００は、係合溝１１にロックされたフック１２０によって、モバイル端末１０に取り付けることができる。
【００３０】
すなわち、バックカバー１００はモバイル端末１０の背面に取り付けることができる。
【００３１】
ここで、端子部１３０は、カバー本体の第１面上で、モバイル端末１０の端子１２、２２と対応する位置に、導電材料を用いて形成され、端子部１３０がモバイル端末１０の端子１２、２２と電気的に接続されることができる。
【００３２】
モバイル端末１０の端子１２、２２は、図４および図５に示されるように形成することができる。
【００３３】
図４に示すような一般的なモバイル端末の背面に設けられた端子１２は、電源端子１２ａと接地端子１２ｂとを含む。図５に示され、且つ、図４の一般的なモバイル端末と比較して改良された（upgraded）モバイル端末の背面に設けられた端子２２は、電源端子２２ａ、接地端子２２ｂ、第１データ端子２２ｃ、第２データ端子２２ｄ、およびＩＤ端子２２ｅを含む。
【００３４】
ここで、改良されたモバイル端末の端子２２の順序および位置は容易に変更することができ、第１データ端子２２ｃ、第２データ端子２２ｄおよびＩＤ端子２２ｅは、モバイル端末のモデルに従って効果的なデータ転送を実現するように、予め設定（preset）することができる。この際、予め設定された端子２２は、モバイル端末のモデルまたは製造会社に応じて変更することができ、各端子の機能の詳細な説明は省略する。
【００３５】
さらに、端子部１３０は、突出型のユニットとして形成することができ、端子部１３０は、モバイル端末の端子１２、２２を容易に接触することができる。
【００３６】
端子部１３０は、一般的なモバイル端末の端子１２に対応するように、電源端子１３０ａと接地端子１３０ｂとを含んでもよく、もしくは、改良されたモバイル端末の端子２２に対応するように、電源端子１３０ａ、接地端子１３０ｂ、第１データ端子（図示せず）、第２データ端子（図示せず）、およびＩＤ端子（図示せず）を含んでもよい。ここで、端子部１３０の複数の端子は、モバイル端末１０の複数の端子２２にそれぞれ対応する。
【００３７】
図１〜図３は、一般的なモバイル端末の端子１２に対応する２つの端子を持つ端子部１３０に基づいて図示されている。
【００３８】
ここで、パターン電極部１４０は、カバー本体１１０の第２面に設けられ、カバー本体１１０の第１面に設けられた端子部１３０と電気的に接続され、モバイル端末の端子１２を外部充電器２００に電気的に接続する。
【００３９】
本発明において、カバー本体１１０の第１面及び第２面は以下のように定義される。
【００４０】
カバー本体１１０の第１面は、モバイル端末１０の背面に取り付けられる内側面（バックカバーの前面）であってよく、カバー本体１００の第２面は、外部充電器２００と接続された外側面（バックカバーの背面）であってもよい。
【００４１】
ここで、端子部１３０とパターン電極部１４０とが互いに電気的に接続される際に、端子部１３０とパターン電極１４０との両方の外部電気ショック（external  electric  shock）からモバイル端末１０を保護するために、保護回路（図示せず）をバックカバーに備えてもよく、または、モバイル端末１０に保護回路を備えてもよい。
【００４２】
さらに、端子部１３０と同様に、図６に示すように、パターン電極部１４０は、電源電極（Ｖ＋）１４０ａと接地電極（ＧＮＤ）１４０ｂを含んでもよく、または、図７に示すように、電源電極１４０ａ、接地電極１４０ｂ、第１データ電極１４０ｃ、第２データ電極１４０ｄおよびＩＤ電極１４０ｅを含んでもよい。
【００４３】
ここで、パターン電極部１４０は、同心円状の配置を持つように設計することができる。
【００４４】
２つの電極１４０ａ、１４０ｂが同心円状に設計されたパターン電極部１４０においては、２つの電極１４０ａ及び１４０ｂは、本発明の実施形態と２つの電極と同様に、内側の円を電源電極１４０ａとして用い、外側の円を接地電極として用いるように、設計することができる。
【００４５】
さらに、パターン電極部１３０は、外部充電器２００の形状に従って異なるように設計することが好ましい。
【００４６】
ここで、パターン電極部１４０が同心円状の配置を持つように設計される場合には、パターン電極部１４０がマグネット１６０によって外部充電器２００のピン端子部２１１と接触する際には、接触する方向にかかわらず、パターン電極１４０は外部充電器２００のピン端子部２１１と容易に接触することができる。
【００４７】
ここで、マグネット１６０は、カバー本体１１０に位置し、以下に説明するように、外部充電器２００と磁気的に結合する。
【００４８】
パターン電極部１４０が外部充電器２００と接続するように、カバー本体１１０の第１面上に設けられた構成を説明する。
【００４９】
バックカバー１００のパターン電極部１４０は、端子部１３０に隣接したカバー本体１１０の所定の部分に形成された貫通孔１１２に配置される。ここで、パターン電極部１４０は、パターン電極部１４０の同心円状の電極パターンは、カバー本体１１０の第２面で露出することができるように、位置させる。
【００５０】
ここで、カバー本体１１０から好ましくない分離を行うことなしに、パターン電極１４０をカバー本体１１０の第２面で露出するようにパターン電極１４０を維持するために、係止段（step）１１２ａが、カバー本体１００の第１面で、貫通孔１１２の周りの位置に形成されることが好ましい。
【００５１】
ここで、パターン電極部１４０は、パターン電極１４０がカバー本体１１０の第２面から分離されることを妨げることができるように、貫通孔１１２の直径よりも大きな直径を持つことが好ましい。
【００５２】
カバー本体１１０の貫通孔１１２の中にパターン電極部１４０を維持するために、パターン電極部１４０は、同心円状の電極パターンに形成されたパターン電極部１４０の表面が、カバー本体１１０の第２面を向くように、貫通孔１１２に位置する。したがって、パターン電極部１４０を支持することができ、且つ、パターン電極１４０が分離することを防止することができる支持部１５０は、パターン電極部１４０の上面上で、カバー本体１１０の第１面の上に位置する。ここで、パターン電極部１４０の上面とは、電極パターンが形成されていない第２面を意味する。
【００５３】
支持部１５０は円形馬蹄形状（circular  horseshoe  shape）を有するように設計することができる。マグネット１６０は、円形馬蹄形状の指示部１５０の中央に位置させる。すなわち、支持部１５０の中央が空いており、支持部１５０がマグネット１６０を取り囲むように配置することができる。
【００５４】
ここで、バックカバーは、パターン電極部１４０の電源電極１４０ａと設置電極１４０ｂが端子部１３０の電源端子１３０ａと設置端子１３０ｂに電気的に接続するための導線１３１が、円形馬蹄形状の支持部１５０の口部に通ることができるように、設計されることができる。
【００５５】
支持部１５０を円形馬蹄形状に設計した場合、バックカバー１００の厚さを減らすことができる。
【００５６】
ここで、マグネット１６０は、支持部１５０の中央に位置し、Ｓ極またはＮ極であることができる。マグネット１６０の極性は、外部充電器２００に内蔵されているマグネット（図示せず）の極性と反対になるように決定することができる。
【００５７】
この際、マグネット１６０の磁力は、容易に変更できるように決定され、したがって、本発明においては、磁力は限定されない。
【００５８】
バックカバー１００を外部充電器２００に磁気的に結合することができるマグネット１６０により、モバイル端末１０は、マグネット型ハンズフリーホルダー（magnet-type  handsfree  holder）、又は、金属表面に、付加的な素子（additional  element）を用いることなく、容易に取り付けることができる。
【００５９】
さらに、保護部１８０はバックカバー１００に設けられ、保護部１８０が、端子部１３０が外部に露出されている間、支持部１５０、マグネット１６０といった第１面に設けられた要素を覆い、且つ、保護できる。ここで、保護部１８０が端子部１３０を外部に露出しているために、端子部１３０は、モバイル端末の端子１２，２２と電気的に接続されることができる。
【００６０】
この際、保護部１８０は、絶縁フィルムまたは絶縁テープなどのようなフレキシブルな薄い素材により形成することができる。
【００６１】
さらに、補助マグネット１７０は、カバー本体１１０の四隅で、パターン電極部１４０から同じ距離だけ離れている位置に配置される。ここで、補助マグネット１７０が、同じ距離だけパターン電極部１４０から離れている位置に配置されるため、パターン電極部１４０が外部充電器２００と接続されているにもかかわらず、パターン電極部１４０が外部充電器２００のピン端子部２１１と電気的に接続することができる。
【００６２】
上述したようなモバイル端末用バックカバー１００は、図６および図７に示すように、バックカバー１００が外部充電器２００と接続した状態で、モバイル端末の充電を実現することができる。
【００６３】
外部充電器２００は、ハウジング２１０内のピン端子部２１１を含み、ピン端子部２１１は、パターン電極部１４０の電源電極（Ｖ＋）１４０ａおよび接地電極（ＧＮＤ）１４０ｂに接触することができる。さらに、マグネット（図示せず）は、外部充電器２００のピン端子部２１１の内部の位置に、内蔵される。ここで、ピン端子部２１１は、図６に示すように、電源端子２１１ａと接地端子２１１ｂを含み、端子２１１ａと２１１ｂは、パターン電極部１４０の電源電極１４０ａと接地電極１４０ｂとそれぞれ対応することができる。さらに、ピン端子部２１１は、図７に示すように、電源端子２１１ａ、設置端子２１１ｂ、第１データ端子２１１ｃ、第２データ端子２１１ｄ、及びＩＤ端子２１１ｅを含むことができ、端子２１１ａ、２１１ｂ、２１１ｃ、２１１ｄ及び２１１ｅは、パターン電極１４０の電源電極１４０ａ、接地電極１４０ｂ、第１データ電極１４０ｃ、第２データ電極１４０ｄ、及びＩＤ電極１４０ｅにそれぞれ対応させることができる。
【００６４】
さらに、補助マグネット２３０は、外部充電器２００の４隅で、ピン端子部２１１から同じ距離だけ離れている位置に配置され、外部充電器２００の補助マグネット２３０は、カバー本体１１０の４隅で、パターン電極１４０から同じ距離だけ離れた位置に配置された各補助マグネット１７０と結合されることができる。ここで、補助マグネット１７０と２３０とは、反対の極性を持つことが好ましい。
【００６５】
補助マグネット１７０と２３０とにより、バックカバー１００と外部充電器２００との結合力を高めることができる。
【００６６】
さらに、補助マグネット１７０と２３０とは、外部充電器２００の対して任意の角度で回転することにより、バックカバー１００を外部充電器２００に効果的に結合することを可能にする。
【００６７】
ケーブル２２０は、外部充電器２００の一側に接続され、ＵＳＢコネクタ（図示せず）を用いて、外部充電器２００へ直流電力を供給する。
【００６８】
さらに、外部充電器２００のピン端子部２１１は、同心円状のパターン電極部１４０と１：１で対応するように直線状に配置されることができる。
【００６９】
詳細には、ピン端子部２１１は、パターン電極部１４０と１：１に対応するように、配置される。
【００７０】
外部充電器２００用いてモバイル端末１０を充電するために、外部充電器２００のケーブル２２０の端に接続されたＵＳＢコネクタ（図示せず）は、コンピュータのＵＳＢ端子に接続されることができ、これによって、コンピュータからＤＣ電力出力を用いてモバイル端末を充電することができる。代わりに、アダプタ（図示せず）は、モバイル端末１０を充電するために用いることもできる。
【００７１】
ここで、外部充電器２００の形状は、図６及び図７に示すような形状から変更することもできる。言い換えると、バックカバー１００のパターン電極部１４０と接続されるピン端子部２１１の形状を維持する場合、ハウジング２１０の形状は自由に変更することができる。
【００７２】
ここでは、外部充電器２００は本発明の主旨から外れるため、外部充電器２００のさらなる説明を省略する。
【００７３】
図６および図７においては、外部充電器２００のピン端子部２１１を、ピン端子部２１１を示すために、見えるように図示した。しかしながら、モバイル端子１０を充電するために、ピン端子部２１１が形成された外部充電器２００の表面は、バックカバー１００のパターン電極部１４０の表面に取り付けられるように形成されることが好ましい。
【００７４】
したがって、本発明に係るモバイル端末用バックカバーは、コネクタを用いて外部充電器にモバイル端末を接続することなしに、マグネットを用いて、外部充電器にモバイル端末を接続することによりモバイル端末の充電を実現することができるバックカバーという点で、効果的であり、したがって、本発明は、モバイル端末の充電の際の機能を効果的に改善することができる。
【００７５】
さらに、本発明の他の利点は、充電のためにコネクタを頻繁に接続することによって生じるコネクタの損傷を完全に避けることができるバックカバーであることである。
【００７６】
本発明によるモバイル端末用バックカバーの構成及び作動機能は、上述の実施例に限定されるものではない。本発明の実施形態は、実施形態の要素を全体的又は選択的に組み合わせることによって自由に変形することができる。
【００７７】
本発明の好適な実施形態について説明の目的で開示したが、当業者であれば、添付した請求の範囲に開示された本発明の精神と範囲から逸脱することなく、様々な変形、追加および置換を加え得ることを理解するであろう。
【図１】
2015534741.tif 000003
【図２】
2015534741.tif 000004
【図３】
2015534741.tif 000005
【図４】
2015534741.tif 000006
【図５】
2015534741.tif 000007
【図６】
2015534741.tif 000008
【図７】
2015534741.tif 000009
【国際調査報告】
2015534741.tif 000010
2015534741.tif 000011